(57)【特許請求の範囲】
【請求項１】
入力された数値に基づいて四則演算する四則演算手段と、
予め定める税率と演算された数値とから支払い金額を算出する税計算手段と、
入力された元金から前記支払い金額を引いて釣銭金額を算出する釣銭計算手段と、
四則演算を行った回数である四則演算カウントを勘定する四則演算カウント手段と、
前記支払い金額または元金または釣銭金額を算出する回数である買物カウントを勘定する買物カウント手段と、
前記四則演算手段が動作すると四則演算カウントを表示し、前記釣銭計算手段が動作すると買物カウントを表示するように切り替わる表示手段とを有する買物計算機能付情報処理装置。
【請求項２】
前記表示手段は、四則演算カウントと買物カウントのうちいずれが表示されているかを示すカウンタシンボルを表示することを特徴とする請求項１記載の買物計算機能付情報処理装置。
【請求項３】
カウント戻りキーおよびカウント進みキーを有し、
四則演算カウント表示時に、カウント戻りキーまたはカウント進みキーを入力すると、四則演算カウントが減少または増加するとともに四則演算カウントに対応した演算結果を表示し、
買物カウント表示時に、カウント戻りキーまたはカウント進みキーを入力すると、買物カウントが減少または増加するとともに買物カウントに対応した釣銭金額を表示することを特徴とする請求項１または２記載の買物計算機能付情報処理装置。
【請求項４】
表示切り替えキーを有し、四則演算カウント表示時に表示切り替えキーを入力すると、入力ごとに数値を一桁ずつ減らして表示し、
買物カウント表示時に表示切り替えキーを入力すると、入力ごとに支払い金額または元金または釣銭金額を切り替えて表示することを特徴とする請求項１〜３のいずれか１つに記載の買物計算機能付情報処理装置。
【請求項５】
釣銭金額、元金、支払い金額および買物カウントからなる買物データと四則演算時に入力した数値および四則演算カウントからなる四則演算データとを記憶する記憶手段と、
前記買物データおよび四則演算データを前記記憶手段に記憶したまま電源をオンするデータ残留電源キーとを有し、
データ残留電源キーによって電源をオンした後に表示切り替えキーを入力すると、入力ごとに支払い金額または元金または釣銭金額を切り替えて表示することを特徴とする請求項１〜４のいずれか１つに記載の買物計算機能付情報処理装置。
【請求項６】
前記データ残留電源キーによって電源をオンした後にカウント戻りキーを入力すると、買物カウントを減少させるとともに、買物カウントに対応した釣銭金額を表示することを特徴とする請求項５記載の買物計算機能付情報処理装置。
【請求項７】
前記買物カウント手段および四則演算カウント手段は、前記表示手段が表示する買物カウントおよび四則演算カウントにかかわらず、元金が入力されると買物カウントを１増加させ、数値が入力されると四則演算カウントを１増加させることを特徴とする請求項６記載の買物計算機能付情報処理装置。
【請求項８】
前記データ残留電源キーによって電源をオンするとき、前記記憶手段に記憶される四則演算データを消去することを特徴とする請求項５〜７のいずれか１つに記載の買物計算機能付情報処理装置。
【請求項９】
前記四則演算カウント手段を動作させるか否かを切り替える切り替え手段を有することを特徴とする請求項１〜８のいずれか１つに記載の買物計算機能付情報処理装置。
【請求項１０】
請求項１〜９記載の買物計算機能付情報処理装置としてコンピュータを機能させるためのプログラムを記録したコンピュータ読み取り可能な記録媒体。
【発明の詳細な説明】
【０００１】
【発明の属する技術分野】
本発明は、ユーザが買物計算する場合に釣銭計算などを行う買物計算機能付情報処理装置およびコンピュータ読み取り可能な記録媒体に関する。
【０００２】
【従来の技術】
特開平７−９８７８７号公報記載の商品販売データ処理装置は、店頭にある電子式キャッシュレジスタのような金銭処理装置で、通貨投入口から投入された通貨の合計金額を預かり金額として、その預かり金額と１取引における合計金額とを比較して、その預かり金額が合計金額以上のときにはその差額分を釣銭金額として自動支払いする。
【０００３】
特開平１１−６６０１２号公報記載の卓上加減乗除計算機は、検算計算のできる電子卓上計算機であり、入力した数値に対応して、２個別々のカウンタに入力項番号と総入力項数を表示できるようにし、過去の計算履歴から後で検算することを可能としている。
【０００４】
【発明が解決しようとする課題】
しかしながら、上述の従来技術は、客が買物する際に必要な計算を行う機能を有していない。また、計算履歴を参照する際にモードの変換が必要であり、操作が煩わしいものとなっている。
【０００５】
本発明の目的は、買物時に必要な計算を行う機能を有し、容易に計算の履歴を確認することができる買物計算機能付情報処理装置およびコンピュータ読み取り可能な記録倍多を提供することである。
【０００６】
【課題を解決するための手段】
本発明は、入力された数値に基づいて四則演算する四則演算手段と、予め定める税率と演算された数値とから支払い金額を算出する税計算手段と、入力された元金から前記支払い金額を引いて釣銭金額を算出する釣銭計算手段と、四則演算を行った回数である四則演算カウントを勘定する四則演算カウント手段と、前記支払い金額または元金または釣銭金額を算出する回数である買物カウントを勘定する買物カウント手段と、前記四則演算手段が動作すると四則演算カウントを表示し、前記釣銭計算手段が動作すると買物カウントを表示するように切り替わる表示手段とを有する買物計算機能付情報処理装置である。
【０００７】
本発明に従えば、入力された数値に基づいて四則演算する四則演算手段と、入力された元金から前記支払い金額を引いて釣銭金額を算出する釣銭計算手段とを有し、前記四則演算手段が動作すると四則演算カウントを表示し、前記釣銭計算手段が動作すると買物カウントを表示するように切り替わって表示されるので、煩わしい操作が不要で、容易に計算の履歴を確認することができる。また、カウンタの表示が１つでよいので、カウンタの表示場所を小さくすることができ、かつ表示手段の結線の本数も少なくてよく、ＬＳＩのピン数も少なくなるので、コストダウンができる。
【０００８】
また本発明は、前記表示手段は、四則演算カウントと買物カウントのうちいずれが表示されているかを示すカウンタシンボルを表示することを特徴とする。
【０００９】
本発明に従えば、四則演算カウントと買物カウントのうちいずれが表示されているかを示すカウンタシンボルを表示するので、いずれのカウントが表示されているのかを認識できる。
【００１０】
また本発明は、カウント戻りキーおよびカウント進みキーを有し、四則演算カウント表示時に、カウント戻りキーまたはカウント進みキーを入力すると、四則演算カウントが減少または増加するとともに四則演算カウントに対応した演算結果を表示し、買物カウント表示時に、カウント戻りキーまたはカウント進みキーを入力すると、買物カウントが減少または増加するとともに買物カウントに対応した釣銭金額を表示することを特徴とする。
【００１１】
本発明に従えば、四則演算カウント表示時に、カウント戻りキーまたはカウント進みキーを入力すると、四則演算カウントが減少または増加するとともに四則演算カウントに対応した演算結果を表示し、買物カウント表示時に、カウント戻りキーまたはカウント進みキーを入力すると、買物カウントが減少または増加するとともに買物カウントに対応した釣銭金額を表示するので、履歴を参照するためのキーの数が少なくてすみ、操作が単純で実用性が向上し、コストダウンにもなる。
【００１２】
また本発明は、表示切り替えキーを有し、四則演算カウント表示時に表示切り替えキーを入力すると、入力ごとに数値を一桁ずつ減らして表示し、買物カウント表示時に表示切り替えキーを入力すると、入力ごとに支払い金額または元金または釣銭金額を切り替えて表示することを特徴とする。
【００１３】
本発明に従えば、四則演算カウント表示時に表示切り替えキーを入力すると、入力ごとに数値を一桁ずつ減らして表示し、買物カウント表示時に表示切り替えキーを入力すると、入力ごとに支払い金額または元金または釣銭金額を切り替えて表示するので、履歴を参照するためのキーの数が少なくてすみ、操作が単純で実用性が向上し、コストダウンにもなる。
【００１４】
また本発明は、釣銭金額、元金、支払い金額および買物カウントからなる買物データと四則演算時に入力した数値および四則演算カウントからなる四則演算データとを記憶する記憶手段と、前記買物データおよび四則演算データを前記記憶手段に記憶したまま電源をオンするデータ残留電源キーとを有し、データ残留電源キーによって電源をオンした後に表示切り替えキーを入力すると、入力ごとに支払い金額または元金または釣銭金額を切り替えて表示することを特徴とする。
【００１５】
本発明に従えば、データ残留電源キーによって電源をオンした後に表示切り替えキーを入力すると、入力ごとに支払い金額または元金または釣銭金額を切り替えて表示するので、買物データの履歴を参照する際に容易に、早く確認することができる。
【００１６】
また本発明は、前記データ残留電源キーによって電源をオンした後にカウント戻りキーを入力すると、買物カウントを減少させるとともに、買物カウントに対応した釣銭金額を表示することを特徴とする。
【００１７】
本発明に従えば、前記データ残留電源キーによって電源をオンした後にカウント戻りキーを入力すると、買物カウントを減少させるとともに、買物カウントに対応した釣銭金額を表示するので、買物データの履歴を参照する際に容易に、早く確認することができる。
【００１８】
また本発明は、前記買物カウント手段および四則演算カウント手段は、前記表示手段が表示する買物カウントおよび四則演算カウントにかかわらず、元金が入力されると買物カウントを１増加させ、数値が入力されると四則演算カウントを１増加させることを特徴とする。
【００１９】
本発明に従えば、前記表示手段が表示する買物カウントおよび四則演算カウントにかかわらず、元金が入力されると買物カウントを１増加させ、数値が入力されると四則演算カウントを１増加させるので、正確に履歴を記憶することができる。
【００２０】
また本発明は、前記データ残留電源キーによって電源をオンするとき、前記記憶手段に記憶される四則演算データを消去することを特徴とする。
【００２１】
本発明に従えば、前記データ残留電源キーによって電源をオンするとき、前記四則演算データを消去するので、状況に応じて参照可能な履歴データの種類を変更することができる。
【００２２】
また本発明は、前記四則演算カウント手段を動作させるか否かを切り替える切り替え手段を有することを特徴とする。
【００２３】
本発明に従えば、前記四則演算カウント手段を動作させるか否かを切り替えることができる。
【００２４】
また本発明は、前記買物計算機能付情報処理装置としてコンピュータを機能させるためのプログラムを記録したコンピュータ読み取り可能な記録媒体である。
【００２５】
本発明に従えば、前記の買物計算機能付情報処理装置としてコンピュータを機能させるためのプログラムを記録したコンピュータ読み取り可能な記録媒体として提供することができる。
【００２６】
【発明の実施の形態】
以下、本発明の実施の形態について図面を参照して説明する。
【００２７】
図１は、本発明の実施の一形態である買物計算機能付情報処理装置の外観を示す平面図である。本実施形態においては、電子卓上計算機を買物計算機能付情報処理装置の例として説明するが、ポケットコンピュータ、携帯情報ツールおよび電子メモなどの情報処理装置に適用しても構わない。
【００２８】
電子卓上計算機１は、表示パネル２、太陽電池パネル３およびキーボード４を備える。表示パネル２は、たとえばＬＣＤ（液晶表示装置）で実現され、四則演算の計算結果、買物金額、元金、釣銭金額、四則演算カウント、買物カウントおよび表示シンボル４３、カウンタシンボル５１などを表示する表示手段である。買物金額、元金、釣銭金額および買物カウントは、後述のキー操作によって算出される買物データである。表示シンボル４３“●”は、現在表示パネル２に表示している金額の表示をユーザに報知する。元金が表示されている場合は、表示パネル２上部に予め記載されている“元金”の文字の下に“●”が点灯し、釣銭金額が表示されている場合は、“お釣”の文字の下に“●”が点灯し、買物金額が表示されている場合は、“買物合計”の文字の下に“●”が点灯する。また、買物金額が税込金額である場合は、“税込”の文字が点灯し、税抜金額である場合は、“税抜”の文字が点灯する。
【００２９】
カウンタシンボル５１“◆”は、現在表示パネル２に表示されているカウントが四則演算カウントであるか買物カウントであるかをユーザに報知する。表示パネル２に表示されているカウントが四則演算カウントであればカウンタシンボル５１“◆”が点灯し、買物カウントであれば点灯しない。太陽電池パネル３は、電子卓上計算機１内部の各回路および内蔵バッテリなどに電力を供給する。キーボード４は、０〜９の数値を置数するための置数キー、小数点を置数するための小数点キー“・”、四則計算を行うための加算キー“＋”、減算キー“−”、乗算キー“×”、除算キー“÷”、計算結果を得るためのイコールキー“＝”、サインチェンジキー“＋／−”、パーセントキー“％”を含む四則計算用キー４０およびお釣り計算するための“元金”キー４１、“お釣”キー４２、税計算するための“税込”キー４４、“税抜”キー４５、計算結果の履歴を見るための“↑”キー４６、“↓”キー４７、“→”キー４８、クリアキー“Ｃ・ＣＥ”４９、オールクリアキー“ＣＡ”５０を含む買物計算用キーを有する。各キー操作の詳細については後述する。
【００３０】
図２は、電子卓上計算機１の電気的構成を示すブロック図である。電子卓上計算機１は、ＣＰＵ（中央演算処理装置）１１、ＲＯＭ（リードオンリメモリ）１２、およびＲＡＭ（ランダムアクセスメモリ）１３を備え、各キーを備えるキーボード４からの入力に応じて処理を行い表示パネル２に処理結果を出力する。ＣＰＵ１１は、マスクロムおよびフラッシュロムなどで実現されるＲＯＭ１２に記憶された制御プログラムに従って、計算機全体の動作を統括的に制御する。たとえば、各種キーの読込み処理、四則計算処理、および各種計算結果の出力処理を制御する。したがって、ＲＯＭ１２にはこれらの処理のための制御プログラムが記憶される。ＲＡＭ１３は、買物データを含む各種データの一時保管のために用いられる。電源オフ時には、記憶手段であるＲＯＭ１２もしくはＲＡＭ１３のいずれかに買物データおよび四則演算データが記憶され保存される。また、ＣＰＵ１１は複数の端子を有し、各端子はキーボード４および表示パネル２が有する端子とそれぞれ接続される。
【００３１】
図３は、表示パネル２の電極および結線図である。表示パネル２は、電極、コモン信号ラインＨ１〜Ｈ４、およびセグメント信号ラインａ１〜ａ１４、ｂ１〜ｂ１４とＳ１，Ｓ２，Ｓ５〜Ｓ７を備え、また各コモン信号ラインＨ１〜Ｈ４、およびセグメント信号ラインａ１〜ａ１４、ｂ１〜ｂ１４とＳ１，Ｓ２，Ｓ５〜Ｓ７にそれぞれ接続される複数の端子を有する。
【００３２】
各端子は、ＣＰＵ１１の各端子とそれぞれ接続される。キーボード４は、前述の各種キーにそれぞれ接続される複数の端子を各々有する。各端子は、ＣＰＵ１１の各端子とそれぞれ接続される。キーボード４からの入力に基づくＣＰＵ１１の制御によって、表示パネル２の電極が表示状態となる。すなわち、ＣＰＵ１１は、計算した結果を表示パネルに表示するように表示パネルを制御することから表示駆動回路の機能を備える。さらに、ＣＰＵ１１は計算回路の機能を備える。
【００３３】
キーボード４の各キー操作と内部回路の動作について説明する。四則計算手段は、前記四則計算用キー４０、ＣＰＵ１１、ＲＯＭ１２およびＲＡＭ１３から構成され、買物金額の算出を含む通常の四則計算を行う。具体的には、四則計算用キー４０の置数キーを用いて数値が入力されると、入力された数値は記憶手段であるＲＡＭ１３の四則演算記憶領域に記憶され、加算、減算、乗算および除算キーのうちのいずれかを入力して計算が指定されると、ＣＰＵ１１は、入力された数値に基づいて、指定された計算を行う。また、四則演算カウント手段であるＣＰＵ１１、ＲＯＭ１２およびＲＡＭ１３は、四則演算キー４０が入力されたときに次のように動作する。四則演算キー４０のうち置数キーのいずれかが入力されると、ＣＰＵ１１は、ＲＡＭ１３に記憶されている四則演算カウント（整数値）を１増加させるとともに表示四則演算カウントも１増加させる。計算結果を得るためにイコールキーを入力した場合も四則演算カウントを１増加させる。なお、四則演算カウントは、四則演算の履歴であり、入力された数値および計算結果は四則演算カウントと対応付けられてＲＡＭ１３に記憶される。表示四則演算カウントは、表示パネル２に表示する四則演算カウントの値で、表示パネル２は、この値を参照し対応付けられた金額を表示する。置数キーおよびイコールキー入力時にのみ四則演算カウントが増加するので、後述の四則演算履歴を表示する際に表示四則演算カウントの値にかかわらず、置数キーおよびイコールキー入力時には、最大の四則演算カウントが１増加することになる。以上のような四則演算手段動作時には、カウンタシンボル５１が点灯する。また、四則演算手段動作時に、表示切替キーである“→”キー４８を入力すると、計算結果の数値を１桁減らすとともに四則演算カウントを１増加させる。
【００３４】
なお、計算結果は支払い金額としてＲＡＭ１３の買物金額記憶領域にも記憶されるとともに、釣銭計算手段動作時には表示パネル２に表示され、表示シンボル４３が“買物合計”の下に点灯する。
【００３５】
四則演算履歴の表示について説明する。すでに複数回の四則演算を行っていれば、カウント戻りキーである“↑”キー４６が入力されると、ＣＰＵ１１は、ＲＡＭ１３に記憶されている表示四則演算カウントを１減少させ、減少した表示四則演算カウントに対応する数値を表示パネル２に表示する。また、カウント送りキーである“↓”キー４７が入力されると、ＣＰＵ１１は、ＲＡＭ１３に記憶されている表示四則演算カウントを１増加させ、増加した表示四則演算カウントに対応する数値を表示パネル２に表示する。
【００３６】
なお、上記に説明した四則演算カウント手段は、ユーザによって動作させるかどうかを切り替えることが可能であり、切り替え手段である切り替えスイッチなどを操作することで可能である。
【００３７】
税計算手段は、税込キー４４、税抜キー４５、ＣＰＵ１１、ＲＯＭ１２およびＲＡＭ１３から構成され、買物計算時の支払い金額を算出する。具体的には、買物金額の計算後に、税込キー４４もしくは税抜キー４５が入力されると、ＣＰＵ１１は、予め定められた税率と記憶された買物金額とから、支払い金額である税込み金額もしくは税抜き金額を算出するとともにＲＡＭ１３の支払い金額記憶領域に記憶される。
【００３８】
釣銭計算手段は、元金キー４１、お釣キー４２、ＣＰＵ１１、ＲＯＭ１２およびＲＡＭ１３から構成され、買物計算時の釣銭金額を算出する。具体的には、元金キー４１の入力に続いて数値が入力されると、ＲＡＭ１３の元金記憶領域に数値が記憶される。釣銭キーであるお釣キー４２が入力されると、ＲＡＭ１３に記憶されている元金から支払い金額を引いた金額である釣銭金額を算出するとともにＲＡＭ１３の釣銭金額記憶領域に記憶される。また、買物カウント手段であるＣＰＵ１１、ＲＯＭ１２およびＲＡＭ１３は、元金キー４１が入力されたときに次のように動作する。元金キー４１が入力されると、ＣＰＵ１１は、ＲＡＭ１３に記憶されている買物カウント（整数値）を１増加させるとともに表示買物カウントも１増加させる。なお、買物カウントは、各金額を計算した回数であり、買物金額、支払い金額および釣銭金額は買物カウントと対応付けられてＲＡＭ１３に記憶される。表示買物カウントは、表示パネル２に表示する買物カウントの値で、表示パネル２は、この値を参照し対応付けられた金額を表示する。元金キー４１入力時にのみ買物カウントが増加するので、後述の買物履歴を表示する際に表示買物カウントの値にかかわらず、元金キー４１入力時には、最大の買物カウントが１増加することになる。
【００３９】
買物履歴の表示について説明する。釣銭金額が算出された時点で、表示切替キーである“→”キー４８を入力すると、同じ買物カウントに対応付けられた買物金額および支払い金額が順番に表示される。金額が切り替わると同時に表示シンボル４３の点灯位置も金額の種類に応じて切り替わる。
【００４０】
すでに複数回の買物計算を行っていれば、カウント戻りキーである“↑”キー４６が入力されると、ＣＰＵ１１は、ＲＡＭ１３に記憶されている表示買物カウントを１減少させ、“↑”キー４６入力前に表示していた種類の金額で、減少した表示買物カウントに対応する金額を表示パネル２に表示する。また、カウント送りキーである“↓”キー４７が入力されると、ＣＰＵ１１は、ＲＡＭ１３に記憶されている表示買物カウントを１増加させ、“↓”キー４７入力前に表示していた種類の金額で、増加した表示買物カウントに対応する金額を表示パネル２に表示する。
【００４１】
ＣＰＵ１１、ＲＯＭ１２、ＲＡＭ１３および駆動回路などの動作用の電力は、電子卓上計算機１内に内蔵される電池（ＢＡＴＴ）や、表面に配置される太陽電池３から供給される。電池からは、逆流防止用のダイオード（Ｄ１）を介して電力が供給される。太陽電池からは抵抗（Ｒ１）を介して電力が供給される。太陽電池からの出力電圧が高いときには、ダイオード（Ｄ１）が逆バイアス状態となって、電池の消耗を避けることができる。太陽電池からの発電が充分にあるときには、発光ダイオード（ＬＥＤ）が点灯し、常に一定の電圧が供給される。電源回路には、バイアスのためのコンデンサ（Ｃ１）も接続される。
【００４２】
前述のように本発明の電子卓上計算機１は、電源がオフになっても買物データおよび四則演算データを記憶したＲＡＭ１２に内蔵電池から電力を供給する、もしくはフラッシュメモリ型のＲＯＭ１３に記憶させるなどして、買物データおよび四則演算データを保持することが可能である。買物データおよび四則演算データを保持した状態で、電源をオンする方法としては、データ残留電源キーである“Ｃ・ＣＥ”キー４９を入力して電源をオンする場合およびデータ消去電源キーである“ＣＡ”キー５０を入力して電源をオンする場合の２種類がある。“Ｃ・ＣＥ”キー４９を入力して電源をオンする場合は、ＲＡＭ１２もしくはＲＯＭ１３に記憶されている買物データは保持されたままであり、一度電源がオフした後でも、上記のような履歴を見ることができる。“ＣＡ”キー５０を入力して電源をオンする場合は、ＲＡＭ１２もしくはＲＯＭ１３に記憶されている買物データを消去する。また、“Ｃ・ＣＥ”キー４９は、買物カウントを１減少させることが可能で、誤って元金キー４１を入力して買物カウントを１増加させた場合に修正することができる。
【００４３】
本発明では、以上に説明した四則演算カウントおよび買物カウントは、自動的に切り替わって表示される。すなわち、四則演算手段を動作させて四則演算を行っているときには、四則演算カウントが表示され、お釣キー４２などが入力されて釣銭計算手段が動作すると買物カウントの表示に切り替わる。これによって、履歴参照時に履歴モード変換などの煩わしい動作を必要とすることなく、容易に履歴を確認することができる。
【００４４】
以上の処理は、コンピュータで読み取り可能な記録媒体に記憶されたプログラムによって実現される。本発明では、この記録媒体として、図２に示すマイクロコンピュータ１０におけるＣＰＵ１１によって処理が行われるために必要なメモリ、たとえばＲＯＭ１２そのものがプログラムメディアであってもよいし、また図示していないが外部記憶装置としてプログラム読み取り装置が設けられ、そこに記録媒体を挿入することで読取り可能なプログラム記録媒体であってもよい。いずれの場合においても、格納されているプログラムはＣＰＵ１１がアクセスして実行させる構成であってもよいし、あるいはいずれの場合もプログラムを読出し、読出されたプログラムは、マイクロコンピュータ１０のＲＡＭ１３にダウンロードされて、そのプログラムが実行される方式であってもよい。
【００４５】
このダウンロード用のプログラムは、予め本体装置に格納されているものとする。ここで上記プログラム記録媒体は、本体と分離可能に構成される記録媒体であり、磁気テープやカセットテープなどのテープ系、フロッピーディスクやハードディスクなどの磁気ディスクやＣＤ−ＲＯＭ／ＭＯ／ＭＤ／ＤＶＤなどの光ディスクのディスク系、ＩＣカード（メモリカードを含む）／光カードなどのカード系、あるいはマスクＲＯＭ、ＥＰＲＯＭ（Erasable Programmable ROM）、ＥＥＰＲＯＭ（Electronically Erasable and Programmable ROM）、フラッシュＲＯＭなどによる半導体メモリを含めた固定的にプログラムを把持する媒体であってもよい。
【００４６】
本実施形態における表示パネル２はＬＣＤであり、図３に示すような電極および結線によって計算結果および計算履歴などを表示する。電極群は８の字状に配置され、その組合せによって０〜９の数字を表す７つの棒状の電極と右下方に配置されて小数点を表す円状の電極を含んで構成される。それに加えて右上方に配置される３桁区切りシンボルのほぼ円状の電極とを含んで構成される。基板上に各信号線ａ１〜ａ１４、ｂ１〜ｂ１４、Ｓ１〜Ｓ７、Ｈ１〜Ｈ４をそれぞれ形成した後、各仕様の表示電極を形成することによって、基板、セグメント信号線ａ１〜ａ１４、ｂ１〜ｂ１４、Ｓ１〜Ｓ７、コモン信号線Ｈ１〜Ｈ４を共通に構成して、各表示装置を効率よく製造することができる。これは、４ビットの安価なＣＰＵが使えるように最小の本数で構成している。
【００４７】
図４は、本発明の電子卓上計算機１による計算処理の操作例を示す図である。なお、買物カウンタおよび四則演算カウンタは２桁の正の整数とし、いずれの計算に対しても正の方にしか進まないとしている。
【００４８】
（１）“ＣＡ”キー５０を入力しオールクリア状態の画面が表示される。数値部、カウンタ部ともに０である。四則演算カウントを示すカウンタシンボル“◆”５１が表示される。
【００４９】
（２）四則計算をする例として４を入力すると数値部に４が表示される。四則演算カウンタは＋１され１が表示される。以降、四則計算のカウンタを示す◆が継続して表示される。
【００５０】
（３）最初の演算子である“＋”キーを入力する。四則演算カウンタは１をそのまま表示している。
【００５１】
（４）次の置数として５を入力すると数値部に５が表示される。四則演算カウンタは＋１され２が表示される。
【００５２】
（５）演算子である“＋”キーを入力すると９（４＋５）が表示される。四則演算カウンタは２をそのまま表示している。
【００５３】
（６）次の置数として６を入力すると数値部に６が表示される。四則演算カウンタは＋１され３が表示される。
【００５４】
（７）計算結果を求めるために“＝”キーを入力すると合計である１５が表示される。四則演算カウンタは＋１され４となる。
【００５５】
（８）“↑”キー４６を入力すると、１つ前の四則演算カウンタ（４−１＝３）に対応する６を表示する。四則計算カウンタを示す◆も継続表示される。
【００５６】
（９）“↑”キー４６を入力すると、１つ前の四則演算カウンタ（３−１＝２）に対応する５を表示する。入力の確認であり、２回目に置数した５を表示する。
【００５７】
（10）“↑”キー４６を入力すると、１つ前の四則演算カウンタ（２−１＝１）に対応する４を表示する。入力の確認であり、１回目に置数した４を表示する。
【００５８】
（11）“↓”４７キーを入力すると、１つ後の四則演算カウンタ（１＋１＝２）に対応する５を表示する。入力の確認であり、２回目に置数した５を表示する。四則計算カウンタを示す◆も継続表示される。
【００５９】
（12）“↓”キー４７を入力すると、１つ後の四則演算カウンタ（２＋１＝３）に対応する６を表示する。入力の確認であり、３回目に置数した６を表示する。
【００６０】
（13）演算子である“×”キーを入力する。四則演算カウンタは最新の４を表示するとともに対応する数値である１５を表示する。なお、カウンタが増加する場合は、最新のカウンタに自動的に追加できるようにしている。
【００６１】
（14）次の置数として３２を入力すると数値部に３２が表示される。四則演算カウンタは＋１され５が表示される。
【００６２】
（15）計算結果を求めるために“＝”キーを入力すると合計である４８０が表示される。四則演算カウンタは＋１され６が表示される。
【００６３】
（16）“→”キー４８を入力すると１桁減った数値である４８を表示する。四則演算カウンタは＋１され７が表示される。四則計算カウンタを示す◆も継続表示される。
【００６４】
（17）“税込”キー４４を入力すると数値部に税込額の５０．４が表示される（税率５％に設定した場合）。四則演算カウンタは＋１され８が表示される。また、税込シンボルが表示される。
【００６５】
（18）“↑”キー４６を入力すると、１つ前の四則演算カウンタ（８−１＝７）に対応する４８が表示される。四則演算カウンタの７に対応する４８が表示される。
【００６６】
（19）“↑”キー４６を入力すると、１つ前の四則演算カウンタ（７−１＝６）に対応する４８０が表示される。四則演算カウンタの６に対応する４８０が表示される。
【００６７】
（20）演算子である“×”キーを入力すると、四則演算カウンタは最新の８を表示するとともに対応する数値である５０．４を表示する。なお、カウンタが増加する場合は、最新のカウンタに自動的に追加できるようにしている。
【００６８】
図５も図４と同じく、本発明の電子卓上計算機１による買物計算処理の操作例を示す図である。
【００６９】
（21）次の置数として９を入力すると９が表示される。四則演算カウンタは＋１され９が表示される。
【００７０】
（22）計算結果を求めるために“＝”キーを入力すると合計である４５３．６が表示される。四則演算カウンタは＋１され１０が表示される。
【００７１】
（23）次にお釣り計算をするので、一旦四則計算内容を“Ｃ・ＣＥ”キー４９でクリアする。現在では１度もお釣り計算をしていないので、カウンタは０を表示する。買物カウンタの表示なので、◆は表示されない。
【００７２】
（24）最初の買物金額として３００を入力する。カウンタは＋１され１が表示される。買物の計算ではあるが、実際には四則計算手段を動作させているので、四則計算カウンタを示す◆が表示される。
【００７３】
（25）最初の演算子である“＋”キーを入力する。四則演算カウンタは１をそのまま表示している。
【００７４】
（26）次の置数として４５６を入力する。四則演算カウンタは＋１され２が表示される。
【００７５】
（27）買物金額の合計を求めるために“＝”キーを入力すると、合計金額の７５６が表示される。四則演算カウンタは＋１され３が表示される。
【００７６】
（28）“元金”キーを入力すると、表示パネル２の元金の下に表示シンボル“●”４３が表示される。買物カウンタは＋１され１を表示する。買物カウンタの表示なので、◆は表示されない。
【００７７】
（29）元金の置数として１０００を入力する。買物カウンタは１を保って表示される。
【００７８】
（30）“お釣り”キー４２を入力した後である。計算（１０００−７５６＝２４４）され、お釣り額の２４４を表示する。表示パネル２のお釣りの下にシンボル◆が表示される。買物カウンタは１を保って表示される。
【００７９】
（31）この操作を行う前に電卓がオートパワーオフしていれば、“Ｃ・ＣＥ”キー４９を入力してＯＮさせる。釣銭計算した回数の１が、カウンタに表示される。数値部は０を表示する。
【００８０】
（32）２回目の買物の置数として１５００を入力する。四則演算カウンタは＋１され１となる。この場合は、四則演算カウンタを示す◆が表示される。
【００８１】
（33）演算子である“＋”キーを入力する。四則演算カウンタは１をそのまま保って表示される。四則演算カウンタを示す●も継続表示される。
【００８２】
（34）買物の置数として２０００を入力する。四則演算カウンタは＋１され２が表示される。
【００８３】
（35）２回目の買物金額を求めるために“＝”キーを入力すると、合計金額の３５００を表示する。四則演算カウンタは＋１され３が表示される。
【００８４】
（36）買物の税込額を算出するために、“税込”キー４４を入力すると、税込額の３６７５が表示される（税率５％に設定した場合）。表示パネル２の税込シンボルが表示される。四則演算カウンタは＋１され４が表示される。四則演算カウンタを示す◆も継続表示される。
【００８５】
（37）“元金”キー４１を入力すると、元金の下にシンボル●を表示する。買物カウンタは＋１され２が表示される。買物カウンタ表示なので◆は表示しない。
【００８６】
（38）元金の置数として５０００を入力する。買物カウンタは２を保って表示される。
【００８７】
（39）“お釣り”キー４２を入力する。お釣りが計算（５０００−３６７５＝１３２５）され、釣銭金額の１３２５を表示する。表示パネル２のお釣りの下にシンボル●を表示する。買物カウンタは２を保って表示される。
【００８８】
（40）“↑”キー４６を入力すると、最初の買物のお釣り額である２４４を表示する。買物カウンタは−１され１が表示される。お釣りの下にシンボル●を表示する。
【００８９】
図６も図５と同じく、本発明の電子卓上計算機１による買物計算処理の操作例を示す図である。
【００９０】
（41）“→”キー４８を入力すると、最初の買物の合計金額である７５６を表示する。買物カウンタは１をそのまま保って表示される。買物合計の下にシンボル●を表示する。
【００９１】
（42）“→”キー４８を入力すると、最初の買物の元金である１０００を表示する。買物カウンタは１をそのまま保って表示される。元金の下にシンボル●を表示する。
【００９２】
（43）“→”キーを入力すると、最初の買物のお釣り額である２４４を表示する。買物カウンタは１をそのまま保って表示される。お釣りの下にシンボル●を表示する。
【００９３】
（44）“↓”キー４７を入力すると、２回目の買物のお釣り額である１３２５を表示する。買物カウンタは＋１され２となる。お釣りの下にシンボル●を表示する。
【００９４】
（45）“→”キー４８を入力すると、２回目の買物の合計金額である３６７５を表示する。買物カウンタは２をそのまま保って表示される。買物合計の下にシンボル●を表示する。
【００９５】
（46）たとえば家に帰ってから買物の確認をする場合に、“Ｃ・ＣＥ”キー４９で電源をオンする。お釣り計算した回数の２が、買物カウンタに表示される。数値部は０を表示する。
【００９６】
（47）“→”キー４８を入力すると、２回目の買物のお釣り額である１３２５を表示する。買物カウンタは２をそのまま保って表示される。表示パネル２のお釣りの下にシンボル●を表示する。
【００９７】
（48）“↑”キー４６を入力すると、最初の買物のお釣り額である２４４を表示する。買物カウンタは−１され１が表示される。
【００９８】
（49）再度買物に行った場合、“Ｃ・ＣＥ”キー４９で電源をオンする。買物カウンタにはその直前に表示していたお釣り計算回数の１を表示する。数値部は０を表示する。
【００９９】
（50）３回目の買物の置数として７００を入力すると、数値部に７００が表示される。四則演算カウンタは＋１され１が表示される。四則演算カウンタなので、シンボル◆が表示される。
【０１００】
（51）演算子である“＋”キーを入力した後である。四則演算カウンタは１をそのまま保って表示される。
【０１０１】
（52）買物の置数として４００を入力すると、４００が表示される。四則演算カウンタは＋１され２が表示される。
【０１０２】
（53）３回目の買物合計の計算結果を求めるために“＝”キーを入力すると、合計金額の１１００が表示される。四則演算カウンタは＋１され３が表示される。
【０１０３】
（54）“元金”キー４１を入力すると、元金の下にシンボル●を表示する。買物カウンタは最新のお釣り計算した回数に＋１され３が表示される。買物カウンタの表示なので、◆は表示されない。
【０１０４】
（55）元金の置数として２０００を入力すると、買物カウンタは３を保って表示される。
【０１０５】
（56）“お釣り”キー４２を入力すると、お釣り額が計算（２０００−１１００＝９００）され、お釣り額の９００が表示される。お釣りの下にシンボル●を表示する。買物カウンタは３を保って表示される。
【０１０６】
（57）電卓をオートパワーオフ後に、“Ｃ・ＣＥ”キー４９で再度電源をＯＮさせる。お釣り計算した回数の３が、買物カウンタに表示される。数値部は０を表示する。
【０１０７】
（58）“↑”キー４６を入力すると、２回目の買物のお釣り額である１３２５を表示する。買物カウンタは−１され２が表示される。お釣りの下にシンボル●を表示する。
【０１０８】
ここで、図７に税率の設定と税率の確認の操作例を示す。
(１)“ＣＡ”キー５０を入力するとオールクリア状態の画面が表示される。数値部、カウンタ共に０である。四則演算カウンタを示す◆が表示される。
【０１０９】
(２)“税込”キー４４を入力すると“税率”が表示される。税率シンボルを表示する。四則演算カウンタは＋１され１が表示される。四則演算と同じ入力なので、四則演算カウンタを示す◆を継続して表示する。
【０１１０】
(３)税率５％の５を入力すると数値部に５が表示される。四則演算カウントは１を保って表示される。
【０１１１】
(４)税率を設定するために“＝”キーを入力して確定する。
(５)“ＣＡ”キー５０を入力するとオールクリア状態の画面が表示される。数値部、カウンタ共に０である。
【０１１２】
(６)“税抜”キー４５を入力すると設定されている税率５％を示す５が表示され、“税率”が表示される。四則演算カウントを示す◆を継続して表示する。
【０１１３】
図７は、本発明の電子卓上計算機１による買物計算処理を示すフローチャートである。
【０１１４】
ステップｓ１で“ＣＡ”キー５０が入力されたかどうかを判断する。入力されていればステップｓ２に進み、データを全てクリアする。四則演算カウンタを示すシンボル◆を表示する。入力されていなけければ、ステップｓ２７に進んで、“Ｃ・ＣＡ”キー４９が入力されたかどうかを判断する。入力されていれば、ステップｓ２８に進み、四則演算データをクリアするとともに買物カウンタを表示してステップｓ３に進む。入力されていなければステップｓ２９に進み、数字キーが入力されたかどうかを判断する。入力されていればステップｓ４に進み、入力されていなければステップｓ１に戻る。
【０１１５】
ステップｓ３では、数字キーが入力されたかどうかを判断する。入力されていればステップｓ４に進み、入力されていなければステップｓ１９に進む。ステップｓ４では、四則演算カウンタを＋１して、シンボル◆を表示する。ステップｓ５では、“税込”キー４４または“税抜”キー４５が入力されたかどうかを判断する。入力されていればステップｓ６に進んで、入力された数値の税計算を行い、税込額または税抜額を表示する。また、四則演算カウンタを＋１してシンボル◆を表示する。入力されていなければ、ステップｓ７に進み、“×”キー、“÷”キー、“−”キー、“＋”キー、“＋／−”キーのいずれかが入力されたかどうかを判断する。入力されていれば、ステップｓ８に進む。ステップｓ８では、最新の四則演算カウンタを表示する。四則演算カウンタはそのままの値を保持する。四則演算カウンタを示すシンボル◆を表示してステップｓ３に戻る。入力されていなければステップｓ９に進み、“＝”キーまたは“÷”キーのいずれかが入力されたかどうかを判断する。入力されていれば、ステップｓ１０で四則演算カウンタに＋１して、シンボル◆を表示する。また、四則計算結果の値を表示してステップｓ１１進む。ステップｓ１１では、“税込”キー４４または“税抜”キー４５が入力されたかどうかを判断する。入力されていればステップｓ１２に進んで、四則演算結果の値に対して税計算を行い、税込額または税抜額を表示する。四則演算カウンタに＋１して、シンボル◆を表示する。
【０１１６】
ステップｓ１３では、“元金”キー４１が入力されたかどうかを判断する。入力されていればステップｓ１４に進み、入力されていなければステップｓ３に戻る。ステップｓ１４では、最新の買物カウンタの値に＋１して表示する。数値部に０を表示して、“元金”の下にシンボル●を表示する。ステップｓ１５では、数字キーが入力されたかどうかを判断する。入力されていればステップｓ１６に進み、入力されていなければ待機する。ステップｓ１６で入力された元金の金額を表示してステップｓ１７に進む。“元金”の下のシンボル●は表示したままにする。ステップｓ１７では、“お釣り”キー４２が入力されたかどうかを判断する。入力されていれば、ステップｓ１８に進み、入力されていなければ待機する。ステップｓ１８では、お釣額として、元金の値−四則演算結果の値または、元金の値−四則演算結果の税込額または税抜額を表示する。“お釣り”の下にシンボル●を表示する。
【０１１７】
ステップｓ３で数字キーが入力されていなければステップｓ１９に進み、“税込”キー４４が入力されたかどうかを判断する。
入力されていれば、ステップｓ２０で税率設定モードになる。ステップｓ２１では、数字キーが入力されたかどうかを判断する。入力されていればステップｓ２２に進み、入力されていなければ待機する。ステップｓ２２で入力された数値を税率として格納し、ステップｓ２３で“＝”キーが入力されたかどうかを判断する。入力されていれば税率を設定する。ステップｓ１９で“税込”キーが入力されていなければ、“税抜”キー４４が入力されたかどうかを判断する。入力されていれば、設定されている税率を表示する。
【０１１８】
図８は、本発明の電子卓上計算機１による買物計算処理を示すフローチャートである。
【０１１９】
ステップｓ１８でお釣額が計算されると、ステップｓ３０に進み、“↑”キー４６、“↓”キー４７、“→”キー４８のいずれかのキーが入力されたかどうかを判断する。入力されていなければ処理を終了する。入力されていれば、ステップｓ３１に進み、四則演算手段と釣銭計算手段のどちらが動作しているかを判断する。釣銭計算手段が動作していればステップｓ３２に進み、“↑”キー４６が入力されたかどうかを判断する。入力されていなければ、ステップｓ３７に進む。入力されていれれば、ステップｓ３３で買物カウンタが２以上かどうかを判断する。２より小さければステップｓ３７に進み、２以上であれば、ステップｓ３４に進む。ステップｓ３４では、買物カウンタの値を−１して表示するとともに、カウンタの値に対応し、現在シンボルが表示している（元金、お釣り、買物合計のどれか）金額を表示する。
【０１２０】
ステップｓ３５では、“→”キー４８が入力されたかどうかを判断する。入力されていれれば、表示する金額を順次切り替える。現在お釣り額表示していれば、買物合計表示に切り替わる。現在買物合計表示していれば、元金表示に切り替わる。現在元金表示していれば、お釣り表示に切り替わる。入力されていなければステップｓ３７に進む。ステップｓ３７では、“↓”キー４７が入力されたかどうかを判断する。入力されていればステップｓ３８で最新の買物カウンタかどうかを判断する。最新の買物カウンタであればステップｓ３５に戻り、最新の買物カウンタでなければ、買物カウンタの値を＋１して表示するとともに、カウンタの値に対応し、現在シンボルが表示している（元金、お釣り、買物合計のどれか）金額を表示する。ステップｓ３７で“↓”キー４７が入力されていなければステップｓ４０に進み、“↑”キー４６か“→”キー４８が入力されていないかどうかを判断する。入力されていなければステップｓ１に戻り、入力されていればステップｓ３５に戻る。
【０１２１】
ステップｓ３１において釣銭計算手段が動作していればステップｓ４１に進み、“↑”キー４６が入力されたかどうかを判断する。入力されていなければ、ステップｓ４６に進む。入力されていれれば、ステップｓ４２で四則演算カウンタが２以上かどうかを判断する。２より小さければステップｓ４６に進み、２以上であれば、ステップｓ４３に進む。ステップｓ４３では、四則演算カウンタの値を−１して表示するとともに、カウンタの値に対応する数値を表示する。
ステップｓ４４では、“→”キー４８が入力されたかどうかを判断する。入力されていれれば、表示されている数値を１桁減らす。入力されていなければステップｓ４６に進む。ステップｓ４６では、“↓”キー４７が入力されたかどうかを判断する。入力されていればステップｓ４７で最新の四則演算カウンタかどうかを判断する。最新の四則演算カウンタであればステップｓ４４に戻り、最新の四則演算カウンタでなければ、四則演算カウンタの値を＋１して表示するとともに、カウンタの値に対応する数値を表示する。ステップｓ４６で“↓”キー４７が入力されていなければステップｓ４９に進み、“↑”キー４６か“→”キー４８が入力されていないかどうかを判断する。入力されていなければステップｓ１に戻り、入力されていればステップｓ４１に戻る。
【０１２２】
また、表示パネル２におけるシンボルの点灯は、たとえば下記のように図３に示した電極を選択して行う。“元金”の下のシンボルはコモン信号Ｈ１とセグメント信号Ｓ１をＨＩＧＨにして点灯させ、“釣銭金額”の場合は、はコモン信号Ｈ３とセグメント信号Ｓ１をＨＩＧＨにして点灯させ、“買物合計”の場合は、コモン信号Ｈ４とセグメント信号Ｓ１をＨＩＧＨにして点灯させるようにする。税込シンボルはコモン信号Ｈ４とセグメント信号Ｓ６をＨＩＧＨにして点灯させ、税抜シンボルはコモン信号Ｈ４とセグメント信号Ｓ５をＨＩＧＨにして点灯させ、税率シンボルはコモン信号Ｈ１とセグメント信号Ｓ２をＨＩＧＨにして点灯させるようにする、−（マイナス）シンボルはコモン信号Ｈ２とセグメント信号Ｓ２をＨＩＧＨにして点灯させ、Ｅシンボルはコモン信号Ｈ３とセグメント信号Ｓ２をＨＩＧＨにして点灯させるようにする。カウンタの表示は数値部の表示と同じように制御されるので、コモン信号はＨ１〜Ｈ４で、セグメント信号のみカウンタシンボル専用のａ１３，ｂ１３，ａ１４，ｂ１４の組合せで、点灯させるようにする。
【０１２３】
【発明の効果】
以上のように本発明によれば、煩わしい操作が不要で、容易に計算の履歴を確認することができる。また、カウンタの表示が１つでよいので、カウンタの表示場所を小さくすることができ、かつ表示手段の結線の本数も少なくてよく、ＬＳＩのピン数も少なくなるので、コストダウンができる。
【０１２４】
また本発明によれば、いずれのカウントが表示されているのかを認識できる。
また本発明によれば、履歴を参照するためのキーの数が少なくてすみ、操作が単純で実用性が向上し、コストダウンにもなる。
【０１２５】
また本発明によれば、買物データの履歴を参照する際に容易に、早く確認することができる。
【０１２６】
また本発明によれば、正確に履歴を記憶することができる。
また本発明によれば、状況に応じて参照可能な履歴データの種類を変更することができる。
【０１２７】
また本発明によれば、前記四則演算カウント手段を動作させるか否かを切り替えることができる。
【０１２８】
また本発明によれば、前記の買物計算機能付情報処理装置としてコンピュータを機能させるためのプログラムを記録したコンピュータ読み取り可能な記録媒体として提供することができる。
【図面の簡単な説明】
【図１】本発明の実施の一形態である買物計算機能付情報処理装置の外観を示す平面図である。
【図２】電子卓上計算機１の電気的構成を示すブロック図である。
【図３】表示パネル２の電極および結線図である。
【図４】本発明の電子卓上計算機１による計算処理の操作例を示す図である。
【図５】本発明の電子卓上計算機１による計算処理の操作例を示す図である。
【図６】本発明の電子卓上計算機１による計算処理の操作例を示す図である。
【図７】税率の設定と税率の確認の操作例を示す図である。
【図８】本発明の電子卓上計算機１による買物計算処理を示すフローチャートである。
【図９】本発明の電子卓上計算機１による買物計算処理を示すフローチャートである。
【符号の説明】
１  電子卓上計算機
２  表示パネル
３  太陽電池パネル
４  キーボード
１０  マイクロコンピュータ
１１  ＣＰＵ（中央演算処理装置）
１２  ＲＯＭ（リードオンリメモリ）
１３  ＲＡＭ（ランダムアクセスメモリ）
４０  四則計算用キー
４１  元金キー
４２  お釣キー
４３  表示シンボル
４４  税込キー
４５  税抜キー
４６  ↑キー
４７  ↓キー
４８  →キー
４９  クリア（Ｃ・ＣＥ）キー
５０  オールクリア（ＣＡ）キー
５１  カウンタシンボル
【図１】
0003757138.tif 000002
【図２】
0003757138.tif 000003
【図３】
0003757138.tif 000004
【図４】
0003757138.tif 000005
【図５】
0003757138.tif 000006
【図６】
0003757138.tif 000007
【図７】
0003757138.tif 000008
【図８】
0003757138.tif 000009
【図９】
0003757138.tif 000010